(57)【特許請求の範囲】
【請求項１】
冷媒が供給される熱交換器と、
前記熱交換器に空気を供給する送風機と、
筐体を有し、前記送風機を駆動するモータと、
前記モータの筐体を、該筐体の外面と隙間を有する状態で囲むカバーと、を備え、
前記送風機は、ボス部と、該ボス部から延出する翼と、を有する軸流ファンであり、
前記モータは、前記ボス部が連結された回転軸と、前記筐体の前記送風機に近い側の外面の少なくとも一部を構成し、該回転軸を支承する軸受が内側に配設されたブラケット部と、を有し、
前記カバーの前記送風機に近い側の外面と前記ブラケット部との間隔は、前記カバーの前記送風機に近い側の外面と前記ボス部との間隔と比較して、広い、
ことを特徴とするヒートポンプ熱源ユニット。
【請求項２】
前記カバーの外面は、前記回転軸の軸方向から見た状態において、前記ボス部の外面の外側に突出しない、
ことを特徴とする請求項１に記載のヒートポンプ熱源ユニット。
【請求項３】
前記回転軸は、前記カバーに形成された穴を貫通するように配設され、
前記穴の周縁は、前記送風機に近い側に突出する、
ことを特徴とする請求項１又は２に記載のヒートポンプ熱源ユニット。
【請求項４】
前記カバーは、上部に傾斜面が形成された、
ことを特徴とする請求項１〜３のいずれか一項に記載のヒートポンプ熱源ユニット。
【請求項５】
前記カバーは、下部に傾斜面が形成された、
ことを特徴とする請求項１〜４のいずれか一項に記載のヒートポンプ熱源ユニット。
【請求項６】
前記カバーの下部に形成された前記傾斜面は、前記送風機に近い側が高く、前記送風機に遠い側が低い、
ことを特徴とする請求項５に記載のヒートポンプ熱源ユニット。
【請求項７】
前記筐体は、板状部材に形成された穴を貫通するように配設され、
前記カバーは、前記板状部材を挟むように配設された２つのカバー部材を有する、
ことを特徴とする請求項１〜６のいずれか一項に記載のヒートポンプ熱源ユニット。
【請求項８】
前記板状部材は、前記熱交換器と前記送風機との間に配設され、
前記２つのカバー部材のうちの前記送風機に近い側に配設されたカバー部材は、前記板状部材に、前記送風機に近い側から螺着された、
ことを特徴とする請求項７に記載のヒートポンプ熱源ユニット。
【請求項９】
前記モータと、前記２つのカバー部材のうちの前記送風機に近い側に配設された前記カバー部材と、は、共締めによって螺着された、
ことを特徴とする請求項８に記載のヒートポンプ熱源ユニット。
【請求項１０】
前記カバーの熱伝導率は、前記モータの熱伝導率と比較して、高い、
ことを特徴とする請求項１〜９のいずれか一項に記載のヒートポンプ熱源ユニット。
【請求項１１】
前記隙間に、断熱材が配設された、
ことを特徴とする請求項１〜１０のいずれか一項に記載のヒートポンプ熱源ユニット。
【発明の詳細な説明】
【技術分野】
【０００１】
本発明は、ヒートポンプ熱源ユニットに関する。
【背景技術】
【０００２】
従来のヒートポンプ熱源ユニットとして、冷媒が供給される熱交換器と、熱交換器に空気を供給する送風機と、送風機を駆動するモータと、を備え、モータの上方を覆うフランジによって、モータの筐体の内側への雨水の浸入が抑制されたものがある（例えば、特許文献１を参照）。
【先行技術文献】
【特許文献】
【０００３】
【特許文献１】特開平８−８６４６８号公報（段落［０００６］、段落［０００７］、図１）
【発明の概要】
【発明が解決しようとする課題】
【０００４】
従来のヒートポンプ熱源ユニットでは、熱交換器に付着した霜を溶かす運転（霜取り運転）を行うと、ヒートポンプ熱源ユニット内に生じる多湿空気とモータとの温度差によって、モータの外面に結露が生じ、モータの筐体の内側にその結露水が浸入することとなって、モータの故障の頻度が増加してしまうという問題点があった。
【０００５】
本発明は、上記のような課題を背景としてなされたものであり、モータの外面に結露が生じ、モータの筐体の内側にその結露水が浸入することとなって、モータの故障の頻度が増加してしまうことが抑制されたヒートポンプ熱源ユニットを得ることを目的とする。
【課題を解決するための手段】
【０００６】
本発明に係るヒートポンプ熱源ユニットは、冷媒が供給される熱交換器と、前記熱交換器に空気を供給する送風機と、筐体を有し、前記送風機を駆動するモータと、前記モータの筐体を、該筐体の外面と隙間を有する状態で囲むカバーと、を備え、前記送風機は、ボス部と、該ボス部から延出する翼と、を有する軸流ファンであり、前記モータは、前記ボス部が連結された回転軸と、前記筐体の前記送風機に近い側の外面の少なくとも一部を構成し、該回転軸を支承する軸受が内側に配設されたブラケット部と、を有し、前記カバーの前記送風機に近い側の外面と前記ブラケット部との間隔は、前記カバーの前記送風機に近い側の外面と前記ボス部との間隔と比較して、広い、ものである。
【発明の効果】
【０００７】
本発明に係るヒートポンプ熱源ユニットは、モータの筐体を、内面と筐体の外面とが隙間を有する状態で囲むカバーを備えているため、モータの外面の結露が抑制され、モータの筐体の内側に結露水が浸入してモータの故障の頻度が増加してしまうことが抑制される。
【図面の簡単な説明】
【０００８】
【図１】本発明の実施の形態１に係るヒートポンプ熱源ユニットが適用される空気調和機の、構成を示す図である。
【図２】本発明の実施の形態１に係るヒートポンプ熱源ユニットの、分解斜視図である。
【図３】本発明の実施の形態１に係るヒートポンプ熱源ユニットの、断面図である。
【図４】本発明の実施の形態１に係るヒートポンプ熱源ユニットの、ファン側カバー部材及び熱交換器側カバー部材の斜視図である。
【図５】本発明の実施の形態１に係るヒートポンプ熱源ユニットの、モータ及びカバーのモータ取付台への取付を説明する図である。
【図６】本発明の実施の形態１に係るヒートポンプ熱源ユニットの、ファン側カバー部材及び熱交換器側カバー部材の寸法を説明する図である。
【図７】本発明の実施の形態２に係るヒートポンプ熱源ユニットの、断面図である。
【発明を実施するための形態】
【０００９】
以下、本発明に係るヒートポンプ熱源ユニットについて、図面を用いて説明する。
なお、以下では、本発明に係るヒートポンプ熱源ユニットが、空気調和機のヒートポンプ熱源ユニットである場合を説明するが、本発明に係るヒートポンプ熱源ユニットは、そのような場合に限定されず、例えば、給湯機、床暖房、ヒートパネル等の他の冷凍サイクル装置のヒートポンプ熱源ユニットであってもよい。
また、以下で説明する構成、動作等は、一例であり、本発明に係るヒートポンプ熱源ユニットは、そのような構成、動作等に限定されない。
また、各図において、同一の又は類似する部材又は部分には、同一の符号を付すか、又は、符号を付すことを省略している。
また、細かい構造については、適宜図示を簡略化又は省略している。
また、重複又は類似する説明については、適宜簡略化又は省略している。
【００１０】
実施の形態１．
実施の形態１に係るヒートポンプ熱源ユニットについて説明する。
＜空気調和機の構成＞
まず、実施の形態１に係るヒートポンプ熱源ユニットが適用される空気調和機の構成について説明する。
【００１１】
図１は、本発明の実施の形態１に係るヒートポンプ熱源ユニットが適用される空気調和機の、構成を示す図である。なお、図１では、暖房運転時の冷媒の循環方向を実線矢印で図示し、霜取り運転時又は冷房運転時の冷媒の循環方向を破線矢印で図示している。また、図１では、四方弁１２の暖房運転時の流路を実線で図示し、四方弁１２の霜取り運転時又は冷房運転時の流路を点線で図示している。
図１に示されるように、空気調和機１は、ヒートポンプ熱源ユニット（室外機）２と、ヒートポンプ負荷ユニット（室内機）３と、を有する。
【００１２】
ヒートポンプ熱源ユニット２には、圧縮機１１と、四方弁１２と、熱源側熱交換器１３と、減圧装置１４と、ファン１５と、モータ１６と、が配設される。ヒートポンプ負荷ユニット３には、負荷側熱交換器２１と、ファン２２と、モータ２３と、が配設される。圧縮機１１と、四方弁１２と、熱源側熱交換器１３と、減圧装置１４と、負荷側熱交換器２１と、が、順次、冷媒配管によって接続されて、冷媒循環回路が形成される。
【００１３】
圧縮機１１、四方弁１２、減圧装置１４、モータ１６、モータ２３等は、制御装置９１によって制御される。制御装置９１は、その一部がヒートポンプ熱源ユニット２の電気品箱に配設されてもよく、また、その一部がヒートポンプ負荷ユニット３の電気品箱に配設されてもよい。例えば、圧縮機１１は、制御装置９１によってインバーター制御される。
【００１４】
＜空気調和機の動作＞
次に、実施の形態１に係るヒートポンプ熱源ユニットが適用される空気調和機の動作について説明する。
暖房運転時には、制御装置９１は、図１に実線で示されるように、四方弁１２の流路を切り換える。圧縮機１１から吐出された冷媒は、負荷側熱交換器２１に流入し、モータ２３によってファン２２が回転することで供給される室内空気と熱交換する。負荷側熱交換器２１から流出した冷媒は、減圧装置１４で減圧されて、熱源側熱交換器１３に流入する。熱源側熱交換器１３に流入した冷媒は、モータ１６によってファン１５が回転することで供給される外気等と熱交換して、圧縮機１１に吸入される。
【００１５】
暖房運転時には、熱源側熱交換器１３に外気等と比較して低温の冷媒が流れるため、熱源側熱交換器１３の温度が外気等の温度と比較して低くなり、その結果、熱源側熱交換器１３に外気等の水分が結露する。そして、外気等の温度が低い場合には、熱源側熱交換器１３に霜が付着した状態になり、熱源側熱交換器１３の熱交換効率の低下、霜によって気流が妨げられることに伴う送風効率の低下、等が生じる。
【００１６】
そのため、熱源側熱交換器１３に付着した霜を溶かす運転（霜取り運転）が行われる必要がある。霜取り運転時には、制御装置９１は、図１に点線で示されるように、四方弁１２の流路を切り換える。そのような動作によって、圧縮機１１から吐出された高温の冷媒が熱源側熱交換器１３に流入することとなり、熱源側熱交換器１３に付着した霜が溶かされる。特に、空気調和機１が寒冷地で使用される場合には、霜取り運転で溶かされた霜が排水されるまでに再度氷結することを抑制するために、熱源側熱交換器１３の下部にヒータ（図示せず）等が設けられる。なお、霜取り運転時には、ファン１５が回転駆動されてもよく、また、回転駆動されなくてもよい。
【００１７】
霜取り運転時には、高温の冷媒によって霜が加熱されて溶かされるため、ヒートポンプ熱源ユニット２の内部が多湿状態となる。モータ１６は、暖房運転時に、熱源側熱交換器１３での熱交換によって低温になった外気等によって冷却されるため、霜取り運転によって生じる多湿空気が接触すると、外面が結露する。特に、モータ１６が、消費電力が少ないＤＣモータ等である場合には、消費電力が多いＡＣモータ等である場合と比較して、モータ１６自体の発熱が少ないため、結露が促進される。また、冷媒循環回路を循環する冷媒が、例えば、Ｒ３２冷媒、ＣＯ２冷媒等であり、冷媒がＲ４１０Ａ冷媒である場合と同様に、圧縮機１１が制御されるような場合には、圧縮機１１から吐出される冷媒の温度が、冷媒がＲ４１０Ａ冷媒である場合と比較して高くなるため、そのような場合も、モータ１６の外面の結露が促進される。
【００１８】
そして、モータ１６の外面に付着した結露水は、モータ１６のわずかな隙間から浸入し、モータ１６に内蔵されたモータ駆動回路部品（図示せず）に到達することとなり、モータ１６の故障の頻度が高くなる。また、特に、空気調和機１が寒冷地で使用される場合には、モータ１６の外面に付着した結露水が隙間に浸入して氷結することが繰り返されて、結露水の浸入経路が徐々に形成されることとなるため、モータ１６の故障の頻度が更に高くなる。そのため、ヒートポンプ熱源ユニット２は、以下のような構成を採用する。
【００１９】
＜ヒートポンプ熱源ユニットの構成＞
以下に、実施の形態１に係るヒートポンプ熱源ユニットの構成について説明する。
図２は、本発明の実施の形態１に係るヒートポンプ熱源ユニットの、分解斜視図である。なお、図２では、減圧装置１４の図示が省略されている。
図２に示されるように、ヒートポンプ熱源ユニット２は、機械室３１と、送風機室３２と、を有する。機械室３１と送風機室３２とは、仕切板３３によって区画される。ヒートポンプ熱源ユニット２に配設される冷媒配管の少なくとも一箇所以上には、温度センサ（図示せず）が取り付けられる。温度センサは、例えば、サーミスタ等である。
【００２０】
機械室３１には、圧縮機１１、四方弁１２、減圧装置１４、電気品箱等が配設される。圧縮機１１は、例えば、ロータリ圧縮機、スクロール圧縮機、レシプロ圧縮機等である。
【００２１】
送風機室３２には、熱源側熱交換器１３、ファン１５、モータ１６、モータ取付台３４等が配設される。熱源側熱交換器１３は、例えば、送風機室３２の背面及び一側面に跨がるように配設される。熱源側熱交換器１３は、例えば、プレートフィン型である。ファン１５は、モータ１６によって回転駆動され、熱源側熱交換器１３に外気等を供給する。熱源側熱交換器１３において、冷媒と外気等とが熱交換する。
【００２２】
モータ１６は、熱源側熱交換器１３とファン１５との間に配設された板状のモータ取付台３４に固定される。モータ１６は、送風機室３２の略中央に配置される。そのように構成されることで、雨水がかかることが抑制される。
【００２３】
図３は、本発明の実施の形態１に係るヒートポンプ熱源ユニットの、断面図である。なお、図３では、モータ１６のみ外観を示している。
図３に示されるように、ファン１５は、例えば、軸流ファンであり、円柱状のボス部４１と、ボス部４１の外周面から周方向に延出する複数の翼４２と、を有する。モータ１６は、回転軸５１と、ステータ（図示せず）、ロータ（図示せず）、モータ駆動回路部品（図示せず）等を内蔵する筐体５２と、を有する。モータ１６は、防水性能が向上されたモールドモータであってもよい。
【００２４】
筐体５２には、ファン１５に近い側の外面の略中央に、ファン１５に近い側に突出するブラケット部５２ａが形成される。ブラケット部５２ａの内側には、軸受（図示せず）が配設され、回転軸５１がその軸受（図示せず）によって支承される。回転軸５１は、ロータ（図示せず）と共に回転する。ボス部４１と回転軸５１とは、連結される。ブラケット部５２ａの外側に、スリンガが配設されてもよい。また、ブラケット部５２ａが、筐体５２のファン１５に近い側の外面の全てに拡がるように形成されてもよい。つまり、ブラケット部５２ａは、筐体５２のファン１５に近い側の外面の少なくとも一部を構成すればよい。
【００２５】
モータ１６の筐体５２は、カバー３５によって、筐体５２の外面とカバー３５の内面とが隙間を有する状態で、囲まれる。カバー３５は、筐体５２をファン１５に近い側から囲むファン側カバー部材３５＿１と、筐体５２を熱源側熱交換器１３に近い側から囲む熱交換器側カバー部材３５＿２と、を有する。カバー３５によって、筐体５２の外面とカバー３５の内面との間に空気層が形成される。カバー３５に、小穴が形成されていてもよい。つまり、カバー３５は、筐体５２を完全に密封していなくてもよく、筐体５２の外面とカバー３５の内面との間に空気層が形成される程度に、筐体５２を実質的に囲んでいればよい。また、筐体５２の外面の全て又は一部が、他の部材によって覆われ、その部材が、カバー３５によって、その部材の外面とカバー３５の内面とが隙間を有する状態で、囲まれてもよい。また、カバー３５の外側に、雨水がかかることを抑制する部材等の、他の部材が配設されてもよい。
【００２６】
カバー３５は、例えば、板金等であり、カバー３５の熱伝導率は、モータ１６の熱伝導率と比較して、高い。そのように構成されることで、カバー３５が、暖房運転時にモータ１６と比較して早く低温になり、霜取り運転時に生じる多湿空気が、カバー３５に結露して除湿されることとなって、筐体５２の外面とカバー３５の内面との間の空気がカバー３５の外側の空気と比較して低湿度になるため、モータ１６の外面に生じる結露が更に抑制される。なお、カバー３５は、熱伝導率がモータ１６の熱伝導率と比較して高いものに限定されず、例えば、真空成形されたプラスチック等であってもよい。
【００２７】
なお、カバー３５が、筐体５２の外面とカバー３５の内面との間に空気層が形成される程度に、筐体５２を実質的に囲んでいないような場合でも、カバー３５の熱伝導率が、モータ１６の熱伝導率と比較して高いことで、モータ１６の外面に生じる結露が抑制される。
【００２８】
図４は、本発明の実施の形態１に係るヒートポンプ熱源ユニットの、ファン側カバー部材及び熱交換器側カバー部材の斜視図である。
図４に示されるように、ファン側カバー部材３５＿１及び熱交換器側カバー部材３５＿２は、断面が多角形状の箱体であってもよく、また、断面が円状の箱体であってもよい。板金の曲げ加工によって成形する場合には、断面が多角形状の箱体とするとよい。板金の絞り加工によって成形する場合には、断面が円状の箱体とするとよい。図３に示されるように、モータ１６が、モータ取付台３４から一方（ファン１５に近い側）に大きく突出し、モータ取付台３４から他方（熱源側熱交換器１３に近い側）に小さく突出するような場合には、大きく突出する側から囲むカバー部材（ファン側カバー部材３５＿１）を、断面が多角形状の箱体とし、小さく突出する側から囲むカバー部材（熱交換器側カバー部材３５＿２）を、断面が円状の箱体とすればよい。そのように構成されることで、ファン側カバー部材３５＿１及び熱交換器側カバー部材３５＿２を薄肉化することができ、カバー３５の部品費、重量等を削減することができる。
【００２９】
ファン側カバー部材３５＿１には、上部に傾斜面３５＿１ａが形成される。傾斜面３５＿１ａによって、結露水がファン側カバー部材３５＿１の側部等に流れ落ちる。なお、図４では、２つの傾斜面３５＿１ａの間に平坦面３５＿１ｂが有る場合を示しているが、例えば、ファン側カバー部材３５＿１が、断面が四角形状の箱体であり、その対角線が鉛直方向と平行になるように配設される場合等のように、平坦面３５＿１ｂが無い状態で、２つの傾斜面３５＿１ａが直接接合されてもよい。また、平坦面３５＿１ｂが、先端側（ファン１５に近い側）が低くなるような傾斜面であってもよい。
【００３０】
ファン側カバー部材３５＿１には、下部に傾斜面３５＿１ｃ及び傾斜面３５＿１ｄが形成される。傾斜面３５＿１ｃによって、結露水が傾斜面３５＿１ｄ等に流れ落ちる。傾斜面３５＿１ｄは、２つの傾斜面３５＿１ｃの間に形成され、図３に示されるように、先端側（ファン１５に近い側）が高くなるような傾斜面である。傾斜面３５＿１ｄによって、結露水がファン１５から遠ざかるように流れ落ちる。そのように構成されることで、ファン１５に結露水が付着することが抑制される。特に、空気調和機１が寒冷地で使用される場合には、ファン１５に付着した結露水が氷結して、ファン１５の重量バランスが崩れて振動が生じたり、送風効率が低下したりすることが抑制される。なお、ファン側カバー部材３５＿１が、断面が四角形状の箱体であり、その対角線が鉛直方向と平行になるように配設される場合等のように、傾斜面３５＿１ｄが無い状態で、２つの傾斜面３５＿１ｃが直接接合されてもよい。その際は、２つの傾斜面３５＿１ｃの接合面を、先端側（ファン１５に近い側）が高くなるように傾斜させればよい。
【００３１】
ファン側カバー部材３５＿１の先端面３５＿１ｅには、回転軸５１が挿通される穴３５＿１ｆが形成される。穴３５＿１ｆの周縁は、例えば、バーリング加工等によって、先端面３５＿１ｅからファン１５に近い側に突出するように加工される。そのように構成されることで、先端面３５＿１ｅを流れ落ちる結露水が、ファン側カバー部材３５＿１の内側に浸入することが抑制される。
【００３２】
熱交換器側カバー部材３５＿２は、先端側（熱源側熱交換器１３に近い側）に向かって細くなる円錐状の箱体である。つまり、熱交換器側カバー部材３５＿２には、上部に傾斜面３５＿２ａが形成され、下部に傾斜面３５＿２ｂが形成される。結露水は、傾斜面３５＿２ａ及び傾斜面３５＿２ｂによって流れ落ちる。
【００３３】
なお、カバー３５が、筐体５２の外面とカバー３５の内面との間に空気層が形成される程度に、筐体５２を実質的に囲んでいないような場合でも、ファン側カバー部材３５＿１及び熱交換器側カバー部材３５＿２に、傾斜面３５＿１ａ、３５＿１ｃ、３５＿１ｄ、３５＿２ａ、３５＿２ｂが形成されることによって、結露水が筐体５２の内側に浸入することが抑制され、また、ファン１５の送風効率が低下することが抑制される。また、穴３５＿１ｆの周縁が、先端面３５＿１ｅからファン１５に近い側に突出するように加工されることによって、結露水が筐体５２の内側に浸入することが抑制される。
【００３４】
ファン側カバー部材３５＿１には、ファン側カバー部材３５＿１をモータ取付台３４に固定するためのフランジ部３５＿１ｇが形成される。フランジ部３５＿１ｇには、ネジが挿通される穴３５＿１ｈが形成される。熱交換器側カバー部材３５＿２には、熱交換器側カバー部材３５＿２をモータ取付台３４に固定するためのフランジ部３５＿２ｃが形成される。
【００３５】
例えば、ファン側カバー部材３５＿１の先端面３５＿１ｅに、ファン側カバー部材３５＿１の取付方向が容易に判別できるように、例えば、上下方向を表示するマーク３５＿１ｉが形成されるとよい。そのように構成されることで、誤って組み立てられることが抑制される。特に、ファン側カバー部材３５＿１が、上部に平坦面３５＿１ｂが形成され、下部に傾斜面３５＿１ｄが形成されるようなものである場合に、有効である。
【００３６】
図５は、本発明の実施の形態１に係るヒートポンプ熱源ユニットの、モータ及びカバーのモータ取付台への取付を説明する図である。なお、図５（ａ）は、モータ取付台３４に熱交換器側カバー部材３５＿２を取り付ける状態を示しており、図５（ｂ）は、モータ取付台３４にモータ１６及びファン側カバー部材３５＿１を取り付ける状態を示している。
図５に示されるように、モータ取付台３４には、モータ１６が貫通して配設されるための穴３４ａが形成される。
【００３７】
図５（ａ）に示されるように、熱交換器側カバー部材３５＿２は、モータ取付台３４に、モータ取付台３４の穴３４ａの周辺部と、フランジ部３５＿２ｃのファン１５に近い側の面と、が当接するように、溶接等によって接合される。モータ１６の交換等の保守作業においては、ヒートポンプ熱源ユニット２の前面側、つまり、モータ取付台３４のファン１５に近い側から作業する方が、熱源側熱交換器１３を取り外す必要がなく、作業性がよい。そのため、熱交換器側カバー部材３５＿２が、モータ取付台３４に溶接等によって接合されていても、支障がない。また、熱交換器側カバー部材３５＿２がモータ取付台３４に螺着される場合には、ネジの先端が、モータ取付台３４のファン１５に近い側に突出する場合が生じるが、熱交換器側カバー部材３５＿２が、モータ取付台３４に溶接等によって接合される場合には、そのようなことがないため、作業者に安全である。
【００３８】
図５（ｂ）に示されるように、モータ１６は、筐体５２の外周面から延出する複数の取付脚５３を有する。取付脚５３には、ネジが挿通されるための穴５３ａが形成される。モータ１６は、熱交換器側カバー部材３５＿２が接合されたモータ取付台３４に、モータ取付台３４の穴３４ａの周辺部と、取付脚５３の熱源側熱交換器１３に近い側の面と、が当接するように、配設される。取付脚５３は、筐体５２の外周面の中腹から延出するため、モータ１６は、モータ取付台３４の穴３４ａを貫通するように配設されることとなる。
【００３９】
ファン側カバー部材３５＿１は、モータ１６に、モータ１６の取付脚５３のファン１５に近い側の面と、フランジ部３５＿１ｇの熱源側熱交換器１３に近い側の面と、が当接するように、配設される。モータ１６の回転軸５１は、ファン側カバー部材３５＿１の穴３５＿１ｆを貫通する。
【００４０】
ファン側カバー部材３５＿１のフランジ部３５＿１ｇの穴３５＿１ｈと、モータ１６の取付脚５３の穴５３ａと、を挿通するように、ネジ３６が挿通され、ファン側カバー部材３５＿１とモータ１６とが、モータ取付台３４に共締めによって螺着される。ネジ３６は、タッピングネジであるとよい。そのように構成されることで、部品点数、組立工数等が削減される。
【００４１】
（カバーの寸法）
以下に、ファン側カバー部材３５＿１及び熱交換器側カバー部材３５＿２の寸法を説明する。
図６は、本発明の実施の形態１に係るヒートポンプ熱源ユニットの、ファン側カバー部材及び熱交換器側カバー部材の寸法を説明する図である。なお、図６（ａ）は、ファン側カバー部材３５＿１のファン１５に近い側の外面が、ファン１５のボス部４１に近い場合を示し、図６（ｂ）は、ファン側カバー部材３５＿１のファン１５に近い側の外面が、ファン１５のボス部４１に遠い場合を示す。
【００４２】
図６（ａ）に示されるように、ファン側カバー部材３５＿１及び熱交換器側カバー部材３５＿２の外郭寸法ｘと、ファン１５のボス部４１の外郭寸法ｙと、の関係は、ｘ≦ｙである。つまり、ファン側カバー部材３５＿１及び熱交換器側カバー部材３５＿２の外面は、回転軸５１の軸方向から見た状態において、ボス部４１の外面の外側に突出しない。そのように構成されることで、ファン１５の回転駆動によって生じる送風機室３２内の気流が、ファン側カバー部材３５＿１及び熱交換器側カバー部材３５＿２によって妨げられることが抑制される。
【００４３】
図６（ａ）に示されるように、ファン側カバー部材３５＿１のファン１５に近い側の外面と、モータ１６の筐体５２のブラケット部５２ａと、の間隔ａと、ファン側カバー部材３５＿１のファン１５に近い側の外面と、ファン１５のボス部４１と、の間隔ｂと、の関係は、ａ＞ｂである。図６（ｂ）に示されるように、間隔ａが狭い場合には、ファン側カバー部材３５＿１のファン１５に近い側の外面と、ファン１５のボス部４１と、の間に、渦が生じ、送風効率が低下してしまう。図６（ａ）に示されるように、ａ＞ｂである場合には、送風効率の低下の抑制が確実化される。
【００４４】
＜ヒートポンプ熱源ユニットの作用＞
以下に、実施の形態１に係るヒートポンプ熱源ユニットの作用について説明する。
ヒートポンプ熱源ユニット２では、モータ１６の筐体５２が、カバー３５によって、筐体５２の外面とカバー３５の内面とが隙間を有する状態で、囲まれる。そのため、モータ１６の外面に、霜取り運転中に生じる多湿空気が接触することが抑制され、モータ１６の外面の結露が抑制される。また、筐体５２の外面とカバー３５の内面との隙間に、モータ１６の発熱によって暖められた空気層が形成されるため、モータ１６及びカバー３５の表面温度の低下が抑制されて、モータ１６の外面の結露が抑制される。その結果、モータ１６の筐体５２の内側に結露水が浸入してモータ１６の故障の頻度が増加してしまうことが抑制される。
【００４５】
特に、空気調和機１が寒冷地で使用される場合、モータ１６が、消費電力が少ないＤＣモータ等である場合、冷媒循環回路を循環する冷媒が、例えば、Ｒ３２冷媒、ＣＯ２冷媒等であり、冷媒がＲ４１０Ａ冷媒である場合と同様に、圧縮機１１が制御されるような場合、等においても、ヒートポンプ熱源ユニット２では、モータ１６の筐体５２が、カバー３５によって、筐体５２の外面とカバー３５の内面とが隙間を有する状態で、囲まれるため、モータ１６の筐体５２の内側に結露水が浸入してモータ１６の故障の頻度が増加してしまうことが抑制される。
【００４６】
また、カバー３５が配設されることで、モータ１６の筐体５２のブラケット部５２ａと、ファン１５のボス部４１と、の間を、埋めることができ、モータ１６の筐体５２のブラケット部５２ａと、ファン１５のボス部４１と、の間に渦が生じて、送風効率が低下してしまうことが抑制される。
【００４７】
また、特に、ヒートポンプ熱源ユニット２が、ファン１５のような軸流ファンを、モータ１６のような回転軸５１を回転させるモータによって回転駆動させるものである場合には、モータ１６の回転軸５１と筐体５２との間の隙間から結露水が浸入し易い。そのような場合においても、ヒートポンプ熱源ユニット２では、モータ１６の筐体５２が、カバー３５によって、筐体５２の外面とカバー３５の内面とが隙間を有する状態で、囲まれるため、モータ１６の筐体５２の内側に結露水が浸入してモータ１６の故障の頻度が増加してしまうことが抑制される。
【００４８】
実施の形態２．
実施の形態２に係るヒートポンプ熱源ユニットについて説明する。
なお、以下では、実施の形態１と重複又は類似する説明については、適宜簡略化又は省略している。
【００４９】
＜ヒートポンプ熱源ユニットの構成＞
以下に、実施の形態２に係るヒートポンプ熱源ユニットの構成について説明する。
図７は、本発明の実施の形態２に係るヒートポンプ熱源ユニットの、断面図である。
図７に示されるように、筐体５２の外面とカバー３５の内面との間の全て又は一部に、断熱材３７が配設される。
【００５０】
＜ヒートポンプ熱源ユニットの作用＞
以下に、実施の形態２に係るヒートポンプ熱源ユニットの作用について説明する。
ヒートポンプ熱源ユニット２では、モータ１６の筐体５２が、カバー３５によって、筐体５２の外面とカバー３５の内面とが隙間を有する状態で、囲まれ、更に、筐体５２の外面とカバー３５の内面との間の全て又は一部に、断熱材３７が配設される。そのため、断熱材３７によって、モータ１６及びカバー３５の表面温度の低下が抑制されて、モータ１６の外面の結露が抑制される。その結果、モータ１６の筐体５２の内側に結露水が浸入してモータ１６の故障の頻度が増加してしまうことが抑制される。
【００５１】
以上、実施の形態１及び実施の形態２について説明したが、本発明は各実施の形態の説明に限定されない。例えば、各実施の形態の全て又は一部を組み合わせることも可能である。
【符号の説明】
【００５２】
１  空気調和機、２  ヒートポンプ熱源ユニット、３  ヒートポンプ負荷ユニット、１１  圧縮機、１２  四方弁、１３  熱源側熱交換器、１４  減圧装置、１５  ファン、１６  モータ、２１  負荷側熱交換器、２２  ファン、２３  モータ、３１  機械室、３２  送風機室、３３  仕切板、３４  モータ取付台、３４ａ  穴、３５  カバー、３５＿１  ファン側カバー部材、３５＿１ａ  傾斜面、３５＿１ｂ  平坦面、３５＿１ｃ  傾斜面、３５＿１ｄ  傾斜面、３５＿１ｅ  先端面、３５＿１ｆ  穴、３５＿１ｇ  フランジ部、３５＿１ｈ  穴、３５＿１ｉ  マーク、３５＿２  熱交換器側カバー部材、３５＿２ａ  傾斜面、３５＿２ｂ  傾斜面、３５＿２ｃ  フランジ部、３６  ネジ、３７  断熱材、４１  ボス部、４２  翼、５１  回転軸、５２  筐体、５２ａ  ブラケット部、５３  取付脚、５３ａ  穴、９１  制御装置。
【図１】
0006000204.tif 000002
【図２】
0006000204.tif 000003
【図３】
0006000204.tif 000004
【図４】
0006000204.tif 000005
【図５】
0006000204.tif 000006
【図６】
0006000204.tif 000007
【図７】
0006000204.tif 000008